(57)【要約】【課題】コストを低減した上で蛍光の検出精度を向上する。【解決手段】紙葉類Ｐの少なくとも一部を平坦状に配置する配置部１と、配置部に配置される紙葉類の一方の面Ｐ１に向けて紫外線を照射する紫外線照射部２と、配置部に配置される紙葉類の他方の面Ｐ２に対して受光面３ａを向け、かつ紙葉類の一方の面に入射角０度で照射された紫外線に対向するように他方の面に対して受光面を平行に配設した第１光検出部３と、配置部に配置される紙葉類の他方の面と第１光検出部との間に配設してあり、紫外線照射部からの紫外線によって紙葉類から放出される蛍光を透過し、かつ紫外線を遮光する光学素子３１と、配置部に配置される紙葉類を透過した紫外線照射部からの紫外線を受光するように紙葉類の他方の面に受光面４ａを向けて配設した第２光検出部４と、第１光検出部および前記第２光検出部からの検出信号に基づいて前記紙葉類の真贋を判定する制御部５とを備える。【選択図】        図１
2008282270.tif 000002
【特許請求の範囲】
【請求項１】
紙葉類の少なくとも一部を平坦な状態で配置する配置部と、
前記配置部に配置される紙葉類の一方の面に向けて紫外線を照射する紫外線照射部と、
前記配置部に配置される紙葉類の他方の面に受光面を向け、かつ前記紙葉類の一方の面に入射角０度で照射された紫外線に対向するように前記紙葉類の他方の面に対して前記受光面を平行に配設した第１光検出部と、
前記配置部に配置される紙葉類の他方の面と前記第１光検出部との間に配設してあり、前記紫外線照射部からの紫外線によって前記紙葉類から放出される蛍光を透過し、かつ紫外線を遮光する光学素子と、
前記配置部に配置される紙葉類を透過した前記紫外線照射部からの紫外線を受光するように前記紙葉類の他方の面に受光面を向けて配設した第２光検出部と、
前記第１光検出部および前記第２光検出部からの検出信号に基づいて前記紙葉類の真贋を判定する制御部と
を備えたこと特徴とする紙葉類鑑別装置。
【発明の詳細な説明】
【技術分野】
【０００１】
本発明は、紫外線を利用して紙葉類の真贋を判定する紙葉類鑑別装置に関するものである。
【背景技術】
【０００２】
紙幣や有価証券などの紙葉類には、偽造を防止するために蛍光インクや蛍光繊維などの蛍光体が用いられている。従来では、紫外線を利用して蛍光体を検出することで紙葉類の真贋を判定する紙葉類鑑別装置が知られている。
【０００３】
従来の紙葉類鑑別装置は、紫外線光源からの紫外線を紙葉類の一方の面に照射し、紙葉類の蛍光体を励起して当該紙葉類の一方の面から放出された蛍光を特定波長域ごとに区分けして検出する。この紙葉類鑑別装置は、光学フィルタによって透過された特定波長域の蛍光を各受光素子で検出し、特定波長域ごとの検出信号間の大小相関データにより紙葉類の真贋を判定することで、蛍光ペンなどで偽造された紙葉類を排除することを可能としている（例えば、特許文献１参照）。
【０００４】
他に、従来の紙葉類鑑別装置には、紫外線光源からの紫外線を紙葉類の一方の面に照射し、紙葉類の一方の面で反射した紫外線と、紙葉類の一方の面から放出された蛍光とを検出するものがある。この紙葉類鑑別装置では、各受光素子で検出した紫外線および蛍光を、それぞれ基準値と比較し、双方の基準が満足される場合、その紙葉類が真であると判定する（例えば、特許文献２参照）。
【０００５】
【特許文献１】特開２００２−１０９５９８号公報
【特許文献２】特表平８−５０５２５３号公報
【発明の開示】
【発明が解決しようとする課題】
【０００６】
しかしながら、特許文献１および特許文献２に示された紙葉類鑑別装置は、紙葉類の一方の面に照射された紫外線によって当該一方の面に放出された蛍光を受光するもので、紫外線光源が受光素子で受光する蛍光を遮らないように、紫外線を紙葉類の一方の面に対して斜め方向から照射する態様で紫外線光源が配置されている。このため、紫外線光源から紙葉類の一方の面への距離が長く、紙葉類に到達する紫外線の光量が少なくなるので、当該紫外線によって紙葉類から放出される蛍光量も少なくなる。この結果、従来の紙葉類鑑別装置では、受光素子での蛍光の検出精度が悪く、真贋判定性能が低下してしまうことになる。この場合、紫外線の照射量を多くするには、消費電流の多い紫外線光源を用いることになるのでコストが嵩む問題が生じる。
【０００７】
本発明は、上記実情に鑑みて、コストを低減した上で蛍光の検出精度を向上することのできる紙葉類鑑別装置を提供することを目的とする。
【課題を解決するための手段】
【０００８】
上記の目的を達成するために、本発明の請求項１に係る紙葉類鑑別装置は、紙葉類の少なくとも一部を平坦な状態で配置する配置部と、前記配置部に配置される紙葉類の一方の面に向けて紫外線を照射する紫外線照射部と、前記配置部に配置される紙葉類の他方の面に受光面を向け、かつ前記紙葉類の一方の面に入射角０度で照射された紫外線に対向するように前記紙葉類の他方の面に対して前記受光面を平行に配設した第１光検出部と、前記配置部に配置される紙葉類の他方の面と前記第１光検出部との間に配設してあり、前記紫外線照射部からの紫外線によって前記紙葉類から放出される蛍光を透過し、かつ紫外線を遮光する光学素子と、前記配置部に配置される紙葉類を透過した前記紫外線照射部からの紫外線を受光するように前記紙葉類の他方の面に受光面を向けて配設した第２光検出部と、前記第１光検出部および前記第２光検出部からの検出信号に基づいて前記紙葉類の真贋を判定する制御部とを備えたこと特徴とする。
【発明の効果】
【０００９】
本発明に係る紙葉類鑑別装置は、第１光検出部が、配置部に配置される紙葉類の他方の面に受光面を向け、かつ紙葉類の一方の面に入射角０度で照射される紫外線に対向するように紙葉類の他方の面に対して受光面を平行に配設してある。このため、紙葉類は、一方の面に入射角０度で照射されて、該一方の面に最も近く光量の多い紫外線によって光量の多い蛍光を放出し、第１光検出部は、紙葉類の他方の面に平行に配置した受光面によって最も光量の多い蛍光を検出することになる。この結果、第１光検出部への蛍光の入射光量が多くなるので、蛍光の検出精度が良くなり真贋判定性能を向上することができる。また、第１光検出部への蛍光の入射光量を多くできるので、紫外線の照射量の少ない紫外線照射部を用いても十分な入射光量の蛍光を検出することが可能になり、あるいは蛍光を放出させる紫外線の照射光量が最小限となるように紫外線照射部の消費電流を抑えることが可能になるためコストを低減することができる。
【００１０】
しかも、本発明に係る紙葉類鑑別装置は、紫外線の照射によって紙葉類から放出される蛍光を第１光検出部によって検出し、紙葉類を透過した紫外線を第２光検出部によって検出する。このため、蛍光の検出によって、紙葉類の用紙自体の蛍光特性や、紙葉類に含まれる蛍光インク・蛍光繊維による蛍光特性を判定要素として取得でき、かつ紙葉類を透過した紫外線の検出によって、紙葉類Ｐの用紙自体の紫外線透過特性や、すかし等の紙厚変化による紫外線透過特性や、印刷インクによる紫外線透過特性を判定要素として取得できる。この結果、少なくとも１つの紫外線照射部に対し２つの光検出部を配置した簡素な構成で、数多くの判定要素を基準とした真贋判定が可能になり真贋判定性能を向上することができる。
【発明を実施するための最良の形態】
【００１１】
以下に添付図面を参照して、本発明に係る紙葉類鑑別装置の好適な実施の形態を詳細に説明する。なお、この実施の形態によりこの発明が限定されるものではない。
【００１２】
図１は、本発明に係る紙葉類鑑別装置の要部構成を示す概略図であり、図２は、本発明に係る紙葉類鑑別装置の制御系を示すブロック図であり、図３は、本発明に係る紙葉類鑑別装置の鑑別動作を示すフローチャートであり、図４は、本発明に係る紙葉類鑑別装置の鑑別動作を示す概略図である。
【００１３】
図１および図２に示すように、本実施の形態における紙葉類鑑別装置は、配置部１と、紫外線照射部２と、第１光検出部３と、第２光検出部４と、制御部５を備えている。
【００１４】
配置部１は、紙葉類Ｐを平坦な状態で配置するためのもので、本実施の形態では、搬送部として構成してある。搬送部は、図１に示すように搬送路１１および搬送手段１２を有している。搬送路１１は、図１において上下方向に互いに対向する上下壁部１１ａ，１１ｂの間で、左右方向に延設された搬送域を画成してある。搬送手段１２は、搬送路１１の延設方向に沿って紙葉類Ｐを搬送するもので、図１においては紙葉類Ｐを挟みながら回転するローラ対を示してある。搬送手段１２は、モータなどの駆動源（図示せず）によって駆動される。この配置部１は、上下壁部１１ａ，１１ｂとの間において、搬送手段１２によって紙葉類Ｐを平坦な状態で搬送路１１に沿って搬送する。また、配置部１には、搬送路１１に紙葉類Ｐが配置された場合にパルス信号を発生するフォトインタラプタなどの紙葉類検出部１３（図２参照）が配設してある。なお、配置部１は、後述する紫外線照射部２によって紫外線が照射される紙葉類Ｐの少なくとも一部を平坦な状態で配置すればよく、その他の紙葉類Ｐの部分は平坦でなくてもよい。
【００１５】
紫外線照射部２は、図１に示すように配置部１において上壁部１１ａ側に配設してあり、配置部１に平坦状に配置される紙葉類Ｐの一方の面Ｐ１（図１中の紙葉類Ｐの上面）に向けて紫外線を照射するものである。紫外線照射部２には、紫外線発光素子として、例えばピーク波長が３６５ｎｍの紫外線発光ダイオードが用いられる。なお、紫外線照射部２に用いられた紫外線発光ダイオードから照射される紫外線には、僅かながら可視光成分が含まれている。このため、上壁部１１ａには、配置部１に配置される紙葉類Ｐと紫外線照射部２との間に介在され、紫外線照射部２から照射される光から可視光成分を除去し、紫外線だけを透過させる光学素子である紫外線透過フィルタ２１が配設してある。
【００１６】
第１光検出部３は、シリコンフォトダイオードなどの受光素子が用いられている。第１光検出部３は、図１に示すように配置部１において下壁部１１ｂに配設してあり、紫外線照射部２との間で搬送路１１を挟み、該紫外線照射部２に対向配置してある。具体的に、第１光検出部３は、配置部１に平坦状に配置される紙葉類Ｐの他方の面Ｐ２（図１中の紙葉類Ｐの下面）に受光面３ａを向け、かつ紙葉類Ｐの一方の面Ｐ１に入射角０度（一方の面Ｐ１に垂直）で照射される紫外線照射部２からの紫外線の照射方向に対向するように、紙葉類Ｐの他方の面Ｐ２に対して受光面３ａを平行に配設してある。第１光検出部３は、紫外線照射部２からの紫外線によって紙葉類Ｐの蛍光体を励起して放出される蛍光を受光する。
【００１７】
また、第１光検出部３の受光面３ａには、紙葉類Ｐを透過する紫外線照射部２からの紫外線も受光されてしまうため、下壁部１１ｂには、配置部１に配置される紙葉類Ｐと第１光検出部３との間に介在されて、紙葉類Ｐを透過した紫外線照射部２からの紫外線を除去し、蛍光（可視光）だけを透過させる光学素子である紫外線カットフィルタ３１が配設してある。この紫外線カットフィルタ３１は、下壁部１１ｂの壁面と面一に配置されて第１光検出部３の受光面３ａを覆って配置してあり、搬送路１１を通過する紙葉類Ｐの紙詰まりや、第１光検出部３の受光面３ａへの塵埃の付着を防ぐものでもある。
【００１８】
第２光検出部４は、シリコンフォトダイオードなどの受光素子であって、図１に示すように配置部１において下壁部１１ｂに配設してある。第２光検出部４は、第１光検出部３に近接して配設してあり、本実施の形態では第１光検出部３に並設して配設してある。第２光検出部４は、配置部１に配置される紙葉類Ｐを透過する紫外線照射部２からの紫外線を受光する。
【００１９】
また、下壁部１１ｂには、該下壁部１１ｂの壁面と面一に配置されて第２光検出部４の受光面４ａを覆う保護ガラス４１が配設してある。この保護ガラス４１は、搬送路１１を通過する紙葉類Ｐの紙詰まりや、第２光検出部４の受光面４ａへの塵埃の付着を防ぐものである。
【００２０】
制御部５には、図２に示すように記憶部６が接続してある。また、制御部５には、上述した紙葉類検出部１３と、搬送手段１２と、紫外線照射部２と、第１光検出部３と、第２光検出部４とが接続してある。制御部５は、記憶部６に予め格納したプログラムやデータに従って、特に記憶部６から取得した判定情報６ａを用いて紙葉類鑑別装置を制御する。
【００２１】
制御部５には、判定情報６ａが入力される。判定情報６ａは、真正の紙葉類Ｐにおける蛍光特性や紫外線透過特性の基準値である。蛍光特性には、紙葉類Ｐの用紙自体の蛍光特性や、紙葉類Ｐに含まれる蛍光インク・蛍光繊維による蛍光特性などがある。紫外線透過特性には、紙葉類Ｐの用紙自体の紫外線透過特性や、すかし等の紙厚変化による紫外線透過特性や、印刷インクによる紫外線透過特性などがある。制御部５は、入力された判定情報６ａを記憶部６に記憶しておく。
【００２２】
制御部５は、判定部５ａを有している。判定部５ａは、紙葉類Ｐの真贋を判定する。判定部５ａは、第１光検出部３および第２光検出部４からの検出信号に基づいて、上記判定情報６ａとの比較を行い、各検出信号が判定情報６ａの基準を満たした場合、真正の紙葉類Ｐとして判定する。
【００２３】
上記制御部５における紙葉類の鑑別動作について図３および図４を参照して説明する。制御部５は、搬送手段１２によって紙葉類Ｐを配置部１の搬送路１１に搬送し、この紙葉類Ｐが紙葉類検出部１３によって検出されると（ステップＳ１）、紫外線照射部２を駆動して、配置部１に配置された紙葉類Ｐの一方の面Ｐ１に紫外線Ｕ１を照射する（ステップＳ２）。次に、制御部５は、照射された紫外線Ｕ１によって紙葉類Ｐから放出された蛍光Ｆを検出した第１光検出部３からの検出信号を取得するとともに（ステップＳ３）、紙葉類Ｐを透過した紫外線Ｕ２を検出した第２光検出部４からの検出信号を取得する（ステップＳ４）。最後に、制御部５は、第１光検出部３および第２光検出部４から取得した検出信号を判定情報６ａと比較して紙葉類Ｐの真贋を判定し（ステップＳ５）、本動作を終了する。
【００２４】
上述した紙葉類鑑別装置では、第１光検出部３が、配置部１に配置される紙葉類Ｐの他方の面Ｐ２に受光面３ａを向け、かつ紙葉類Ｐの一方の面Ｐ１に入射角０度で照射される紫外線に対向するように紙葉類Ｐの他方の面Ｐ２に対して受光面３ａを平行に配設してある。このため、紙葉類Ｐは、一方の面Ｐ１に入射角０度で照射されて該一方の面Ｐ１に最も近く光量の多い紫外線によって光量の多い蛍光を放出し、第１光検出部３は、紙葉類Ｐの他方の面Ｐ２に平行に配置した受光面３ａによって最も光量の多い蛍光を受光することになる。この結果、第１光検出部３への蛍光の入射光量を多くできるので、蛍光の検出精度が良くなり判定性能を向上することができる。また、第１光検出部３への蛍光の入射光量を多くできるので、紫外線の照射量の少ない紫外線照射部２を用いても十分な入射光量の蛍光を受光することが可能になり、あるいは蛍光を放出させる紫外線の照射光量が最小限となるように紫外線照射部２の消費電流を抑えることが可能になるためコストを低減することができる。
【００２５】
さらに、紙葉類Ｐの一方の面Ｐ１に最も近く光量の多い紫外線によって光量の多い蛍光を放出させることから、紙葉類Ｐから放出される蛍光を、紫外線照射部２が照射する紫外線に含まれる可視光成分と比して十分に強い光として得ることができる。このため、紫外線照射部２と紙葉類Ｐとの間に、可視光成分を除去する高価な紫外線透過フィルタ２１を用いなくても第１光検出部３によって蛍光の受光を行うことが可能になる。この結果、紫外線透過フィルタ２１を使用せず安価な保護ガラスなどに替えることができ、コストを低減することができる。
【００２６】
しかも、上述した紙葉類鑑別装置では、紙葉類Ｐから放出される蛍光Ｆを第１光検出部３によって検出し、紙葉類Ｐを透過した紫外線Ｕ２を第２光検出部４によって検出している。このため、蛍光Ｆの検出によって、紙葉類Ｐの用紙自体の蛍光特性や、紙葉類Ｐに含まれる蛍光インク・蛍光繊維による蛍光特性を判定要素として取得でき、かつ紙葉類Ｐを透過した紫外線Ｕ２の検出によって、紙葉類Ｐの用紙自体の紫外線透過特性や、すかし等の紙厚変化による紫外線透過特性や、印刷インクによる紫外線透過特性を判定要素として取得できる。この結果、少なくとも１つの紫外線照射部２に対し２つの光検出部３，４を配置した簡素な構成で、数多くの判定要素を基準とした真贋判定が可能になり真贋判定性能を向上することができる。
【００２７】
また、紙葉類Ｐの他方の面Ｐ２に透過する紫外線透過量は、紙葉類Ｐが放出する蛍光量に対して非常に多い。このため、第２光検出部４において、可視光成分を除去する高価な紫外線透過フィルタを用いなくても紫外線の受光を行うことが可能になる。この結果、紙葉類Ｐと第２光検出部４との間には、安価な保護ガラス４１を設けるだけでよく、さらにコストを低減することができる。
【００２８】
なお、上述した実施の形態では、図１および図４において、１つの紫外線照射部２に対して第１光検出部３および第２光検出部４がそれぞれ１つずつ配設された例を示しているが、第２光検出部４は、第１光検出部３に近接して配設できることから、第１光検出部３の周囲に第２光検出部４を複数配設してもよい。
【００２９】
また、上述した実施の形態では、図１および図４において、紫外線照射部２を１つとして、該紫外線照射部２に対応して第１光検出部３および第２光検出部４を配設してあるが、この限りではない。例えば、搬送部による紙葉類Ｐの搬送方向（図１および図４の左右方向）に直交する方向（図１および図４の奥行方向）であって、搬送される紙葉類Ｐの幅方向に紫外線照射部２を複数並設し、この紫外線照射部２に対応して第１光検出部３および第２光検出部４を配設することで、紙葉類Ｐの搬送方向に交わる方向で紙葉類Ｐの判定要素を検出することができる。
【図面の簡単な説明】
【００３０】
【図１】本発明に係る紙葉類鑑別装置の要部構成を示す概略図である。
【図２】本発明に係る紙葉類鑑別装置の制御系を示すブロック図である。
【図３】本発明に係る紙葉類鑑別装置の鑑別動作を示すフローチャートである。
【図４】本発明に係る紙葉類鑑別装置の鑑別動作を示す概略図である。
【符号の説明】
【００３１】
１    配置部
１１    搬送路
１１ａ    上壁部
１１ｂ    下壁部
１２    搬送手段
１３    紙葉類検出部
２    紫外線照射部
２１    紫外線透過フィルタ
３    第１光検出部
３ａ    受光面
３１    紫外線カットフィルタ
４    第２光検出部
４ａ    受光面
４１    保護ガラス
５    制御部
５ａ    判定部
６    記憶部
６ａ    判定情報
Ｐ    紙葉類
Ｐ１    一方の面
Ｐ２    他方の面
Ｕ１，Ｕ２    紫外線
Ｆ    蛍光
【図１】
2008282270.tif 000003
【図２】
2008282270.tif 000004
【図３】
2008282270.tif 000005
【図４】
2008282270.tif 000006